(57)【特許請求の範囲】
【請求項１】
一次側には導入された泡消火薬剤と水を混合した泡消火薬剤混合液を噴射するオリフィスと空気取り入れ口が設けられ、二次側には放射口が設けられた消火用泡水溶液放射管と、前記消火用泡水溶液放射管の二次側に取り付けられた発泡チャンバーとを備え、前記オリフィスから前記消火用泡水溶液放射管内に噴射された泡消火薬剤混合液の噴射による負圧により空気取り入れ口から空気を吸い込み、内部で泡消火薬剤混合液と空気とを攪拌混合した消火用泡水溶液を前記放射口から前記発泡チャンバー内へ放射し前記発泡チャンバーの天板に衝突させて発泡させ、前記発泡チャンバーの筒状側壁に開口する泡放出口から消火用泡を放出する泡消火設備用発泡装置において、
前記消火用泡水溶液放射管の前記放射口と前記発泡チャンバーの前記筒状側壁に開口する前記泡放出口との間に位置して、前記泡放出口へ向かう泡の流れを遮り、迂回させて前記泡放出口へ流す堰板を、前記泡放出口の手前に配置し、前記堰板の周囲と前記発泡チャンバーの内面との間には、前記発泡チャンバー内で発泡した泡を通す隙間が空けられたことを特徴とする泡消火設備用発泡装置。
【請求項２】
前記堰板の両側辺と前記発泡チャンバーの前記筒状側壁との間に隙間Ｓ１、前記堰板の上辺と前記発泡チャンバーの前記天板との間に隙間Ｓ２、及び前記堰板の底辺と前記発泡チャンバーの底板との間に隙間Ｓ３がそれぞれ空けられた請求項１に記載の泡消火設備用発泡装置。
【請求項３】
前記堰板が前記泡放出口の手前にあり、前記堰板と前記泡放出口との間に隙間Ｓ４が空けられた請求項１又は２に記載の泡消火設備用発泡装置。
【請求項４】
前記発泡チャンバーの前記天板と前記消火用泡水溶液放射管の前記放射口との間の空間に、前記放射口から放射された消火用泡水溶液を通過させる第１造泡網部材を配置した請求項１〜３のいずれか１項に記載の泡消火設備用発泡装置。
【請求項５】
前記消火用泡水溶液放射管の前記放射口に、前記放射口から放射される消火用泡水溶液を通過させる第２造泡網部材を前記放射口の全面を覆うように配置した請求項１〜４のいずれか１項に記載の泡消火設備用発泡装置。
【発明の詳細な説明】
【技術分野】
【０００１】
本発明は、主に石油等の引火性液体を貯蔵するタンク貯蔵所等に設置される泡消火設備用発泡装置に関する。
【背景技術】
【０００２】
石油等の引火性液体を貯蔵するタンク貯蔵所等における消火設備として、泡消火薬剤と水とからなる泡消火薬剤混合液に空気を混合し攪拌した消火用泡水溶液を発泡させて消火用泡を生成し、消火用泡で火炎を覆い、火炎と外気の酸素を遮断して消火する泡消火設備がある。泡消火設備では、泡消火薬剤と水とからなる泡消火薬剤混合液に空気を混合し攪拌した消火用泡水溶液を発泡させて消火用泡を生成する発泡装置を備えている。
【０００３】
従来、泡消火設備用発泡装置として、図１１に示すような、一次側には導入された泡消火薬剤と水を混合した泡消火薬剤混合液を噴射するオリフィス１９と空気取り入れ口２０が設けられ、二次側には放射口２１が設けられた消火用泡水溶液放射管２２と、消火用泡水溶液放射管２２の二次側に取り付けられた発泡チャンバー２３とを備え、オリフィス１９から消火用泡水溶液放射管２２内に噴射された泡消火薬剤混合液の噴射による負圧により空気取り入れ口２０から空気を吸い込み、内部で泡消火薬剤混合液と空気とを攪拌混合した消火用泡水溶液を放射口２１から発泡チャンバー２３内へ放射し、発泡チャンバー２３の天板２４に衝突させて発泡させ、発泡チャンバー２３に開口する泡放出口２５から消火用泡を放出する泡消火設備用発泡装置が知られている（例えば、特許文献１参照。）。
【先行技術文献】
【特許文献】
【０００４】
【特許文献１】特開２００９−２８４９９９号公報
【発明の概要】
【発明が解決しようとする課題】
【０００５】
泡消火では、消火用水と泡原液を所定の比率で混合した消火用泡水溶液に、空気を混合して生成した消火用泡に、高い発泡倍率と長い還元時間といった泡性能が求められる。発泡倍率は高いほど発生する泡の体積が大きくなり、火災対象をより厚い泡で覆うことができ、また、還元時間にあっては、長いほど泡が壊れ難いため、長時間火災対象を覆うことができるので、消火に有利になるからである。高い発泡倍率は、消火用泡水溶液と空気とがよく混ざり合うほど向上し、また、長い還元時間は、生成された泡の径が小さいほど向上する。
特許文献１に記載されているような従来の泡消火設備用発泡装置でも、規格上十分な高い発泡倍率と長い還元時間といった泡性能が得られるものとはなっているが、泡消火設備では、発泡倍率・還元時間といった泡性能を向上させ、消火効果を上げることが常に課題となっている。
【０００６】
本発明者等は、高い発泡倍率と長い還元時間といった泡性能を有する消火用泡を生成すべく、消火用泡水溶液と空気との混合を向上させ、かつ生成された泡を小さくするための試験研究を重ねた結果、発泡チャンバー内における泡の移動距離や滞留時間を長くすることに着目し、本発明を成すに至った。
【０００７】
本発明の目的は、簡単な装置で、泡性能の向上を図ることができる泡消火設備用発泡装置を提供することにある。
【課題を解決するための手段】
【０００８】
上記の目的を達成するために、請求項１に記載の発明は、一次側には導入された泡消火薬剤と水を混合した泡消火薬剤混合液を噴射するオリフィスと空気取り入れ口が設けられ、二次側には放射口が設けられた消火用泡水溶液放射管と、前記消火用泡水溶液放射管の二次側に取り付けられた発泡チャンバーとを備え、前記オリフィスから前記消火用泡水溶液放射管内に噴射された泡消火薬剤混合液の噴射による負圧により空気取り入れ口から空気を吸い込み、内部で泡消火薬剤混合液と空気とを攪拌混合した消火用泡水溶液を前記放射口から前記発泡チャンバー内へ放射し前記発泡チャンバーの天板に衝突させて発泡させ、前記発泡チャンバーの筒状側壁に開口する泡放出口から消火用泡を放出する泡消火設備用発泡装置において、前記消火用泡水溶液放射管の前記放射口と前記発泡チャンバーの前記筒状側壁に開口する前記泡放出口との間に位置して、前記泡放出口へ向かう泡の流れを遮り、迂回させて前記泡放出口へ流す堰板を、前記泡放出口の手前に配置したことを特徴としている。
【０００９】
請求項２に記載の発明は、請求項１に記載の、前記発泡チャンバーの前記天板と前記消火用泡水溶液放射管の前記放射口との間の空間に、前記放射口から放射された消火用泡水溶液を通過させる第１造泡網部材を配置したことを特徴としている。
【００１０】
請求項３に記載の発明は、請求項１または２のいずれか1項に記載の、前記消火用泡水溶液放射管の前記放射口に、前記放射口から放射される消火用泡水溶液を通過させる第２造泡網部材を前記放射口の全面を覆うように配置したことを特徴としている。
【発明の効果】
【００１１】
請求項１に記載の泡消火設備用発泡装置によれば、前記消火用泡水溶液放射管の前記放射口と前記発泡チャンバーの前記筒状側壁に開口する前記泡放出口との間に位置して、前記泡放出口へ向かう泡の流れを遮り、迂回させて前記泡放出口へ流す堰板を配置したので、前記消火用泡水溶液放射管の前記放射口から放射された消火用泡水溶液が前記発泡チャンバーの天板に衝突するだけでなく、前記堰板にも衝突することにより発泡が促進され、発泡し前記泡放出口へ向かう泡が、前記堰板により流れが遮られ、前記堰板を迂回して前記泡放出口へ流れるので、その分、前記発泡チャンバー内における泡の移動距離や滞留時間が長くなり、前記発泡チャンバー内で泡と空気が渦を巻き、揉まれる移動距離や時間も長くなることから、消火用泡水溶液と空気とがよく混ざり合って高い倍率で発泡することになり、発泡した泡の径が小さく還元時間の長い泡性能に優れた消火用泡を生成することができる。
【００１２】
請求項２に記載の泡消火設備用発泡装置によれば、請求項１に記載の、前記発泡チャンバーの前記天板と前記消火用泡水溶液放射管の前記放射口との間の空間に、前記放射口から放射された消火用泡水溶液を通過させる第１造泡網部材を配置したので、前記消火用泡水溶液放射管の前記放射口から放射された消火用泡水溶液は、前記発泡チャンバー内で拡散する過程で前記第１造泡網部材に衝突し通過することにより効果的に砕かれ、小さい泡状水滴となる。
この小さい泡状水滴が前記発泡チャンバーの天板に衝突し、さらに前記堰板にも衝突して前記泡放出口へ向かうので、消火用泡水溶液と空気とが一層よく混ざり合って高い倍率で発泡することになり、発泡した泡の径が一層小さく、且つ一層還元時間の長い泡性能に優れた消火用泡を生成することができる。
【００１３】
請求項３に記載の泡消火設備用発泡装置によれば、請求項１または２のいずれか1項に記載の、前記消火用泡水溶液放射管の前記放射口に、前記放射口から放射される消火用泡水溶液を通過させる第２造泡網部材を前記放射口の全面を覆うように配置したので、前記消火用泡水溶液放射管の前記放射口から放射された消火用泡水溶液は、前記放射口から放射される際に、全てが確実に前記第２造泡網部材に衝突し通過することにより、効果的に砕かれ、小さい泡状水滴となる。
この小さい泡状水滴が前記発泡チャンバーの天板に衝突し、さらに前記堰板にも衝突して前記泡放出口へ向かうので、消火用泡水溶液と空気とが一層よく混ざり合って高い倍率で発泡することになり、発泡した泡の径が一層小さく、且つ一層還元時間の長い泡性能に優れた消火用泡を生成することができる。
また、前記発泡チャンバーの前記天板と前記消火用泡水溶液放射管の前記放射口との間の空間に、前記放射口から放射された消火用泡水溶液を通過させる前記第１造泡網部材を配置してある場合では、前記消火用泡水溶液放射管の前記放射口から、小さい泡状水滴となって放射された消火用泡水溶液は、前記発泡チャンバー内で拡散する過程で前記第１造泡網部材に衝突し通過することにより一層効果的に砕かれ、一層小さい泡状水滴となる。
この小さい泡状水滴が前記発泡チャンバーの天板に衝突し、さらに前記堰板にも衝突して前記泡放出口へ向かうので、消火用泡水溶液と空気とがより一層よく混ざり合って高い倍率で発泡することになり、発泡した泡の径がより一層小さく、且つより一層還元時間の長い泡性能に優れた消火用泡を生成することができる。
【図面の簡単な説明】
【００１４】
【図１】本発明に係る泡消火設備用発泡装置の実施の形態の第１例を示す概略縦断面図である。
【図２】図１のＡ−Ａ線断面図である。
【図３】第１例に示す泡消火設備用発泡装置の泡の流れを示す説明図である。
【図４】本発明に係る泡消火設備用発泡装置の実施の形態の第２例を示す概略縦断面図である。
【図５】図４に示す造泡網部材の拡大断面図である。
【図６】本発明に係る泡消火設備用発泡装置の実施の形態の第３例を示す概略縦断面図である。
【図７】図６に示す造泡網部材の拡大断面図である。
【図８】本発明に係る泡消火設備用発泡装置の実施の形態の第４例を示す概略縦断面図である。
【図９】図８に示す造泡網部材の拡大断面図である。
【図１０】本発明に係る泡消火設備用発泡装置の実施の形態の第５例を示す概略縦断面図である。
【図１１】従来の泡消火設備用発泡装置を示す概略縦断面図である。
【発明を実施するための形態】
【００１５】
以下、本発明に係る泡消火設備用発泡装置の実施の形態を図面を参照して詳細に説明する。
図１乃至図３は本発明に係る泡消火設備用発泡装置の実施の形態の第１例を示し、図１は本例の概略縦断面図、図２は図１のＡ−Ａ線断面図、図３は第１例に示す泡消火設備用発泡装置の泡の流れを示す説明図である。
【００１６】
本例の泡消火設備用発泡装置は、一次側にオリフィス１と空気取り入れ口２が設けられ、二次側には放射口３が設けられた消火用泡水溶液放射管４と、消火用泡水溶液放射管４の二次側に取り付けられた発泡チャンバー５を備えている。
【００１７】
消火用泡水溶液放射管４にあっては、一次側端部に消火用水と泡原液を所定の比率で混合した消火用泡水溶液を供給する送水管（図示せず）と接続する接続部６が設けられており、送水管から供給された消火用泡水溶液がオリフィス１を通ることにより消火用泡水溶液放射管４内に噴射し、泡消火薬剤混合液の噴射による負圧により空気取り入れ口２から消火用泡水溶液放射管４内に空気を吸い込み、消火用泡水溶液放射管４内で泡消火薬剤混合液と空気とを攪拌混合した消火用泡水溶液を放射口３から発泡チャンバー５内へ放射するようになっている。
【００１８】
また、発泡チャンバー５にあっては、消火用泡水溶液放射管４の放射口３から放射された消火用泡水溶液を衝突させ発泡させる天板７と筒状側壁８と底板９で構成されており、筒状側壁８には、発泡チャンバー５内で発泡した消火用泡を放出する泡放出口１０が開口している。天板７は、図示しないが開閉可能な蓋としての機能を備えている。
また、本例では天板７は放射口３と正対するように配置され、放射口３から放射された消火用泡水溶液が天板７に衝突せずに直接泡放出口１０の向かわないように、放射口３は泡放出口１０より上部にあり、底板９は泡放出口１０に対してその開口部より上部から下部までの傾斜面を有し、天板７に衝突した消火用泡水溶液は反射されて底板９の傾斜面に衝突し、傾斜面によりの泡放出口１０に導かれるようになっている。
【００１９】
さらに、消火用泡水溶液放射管４の放射口３と発泡チャンバー５の筒状側壁８に開口する泡放出口１０との間に位置して、泡放出口１０へ向かう泡の流れを遮り、迂回させて泡放出口１０へ流す堰板１１が配置されている。
本例では、堰板１１はＬ型金具１２を介して消火用泡水溶液放射管４の放射口３に形成されているフランジ１３に取り付けられて、消火用泡水溶液放射管４の放射口３と発泡チャンバー５の筒状側壁８に開口する泡放出口１０との間に位置するように配置されている。
【００２０】
このようにして配置された堰板１１の周囲と発泡チャンバー５の内面との間には、発泡チャンバー５内で発泡した泡を通す隙間が空けられている。この隙間は、泡放出口１０から放出される消火用泡の必要流量の確保に障害とならない範囲の間隔に設定されている。
本例では、堰板１１の両側辺と発泡チャンバー５の筒状側壁８との間に、隙間Ｓ１を空け、堰板１１の上辺と発泡チャンバー５の天板７との間、及び堰板１１の底辺と発泡チャンバー５の底板９との間に、隙間Ｓ２、Ｓ３を空けている。
また、堰板１１は、本例では発泡チャンバー５の筒状側壁８に沿った湾曲した四辺形の板となっているが、平板であってもよい。
【００２１】
また、堰板１１は泡放出口１０に対して泡の流れを遮るように配置されている。このように配置された堰板１１は泡放出口１０の手前にあり、泡放出口１０との間に発泡した泡を通す隙間Ｓ４が空けられている。ここでいう隙間Ｓ４は、泡放出口１０の筒状側壁８側と堰板１１の泡放出口１０側の表面までの距離を指す。
【００２２】
このように堰板１１を設置することにより、泡放出口１０より発泡チャンバー５内を見たとき、堰板１１が泡放出口１０を遮るように見えることになる。この泡放出口１０の開口を堰板１１に投影したとき、投影した泡放出口１０の開口に対して、堰板１１が占めている面積と開口面積との比率（断面遮断面積率）では、５％〜８０％が好ましく、３０％〜５０％とすると一層好ましい。
堰板１１が占めている面積と開口面積との比率（断面遮断面積率）が５％未満であると、泡放出口１０へ向かう泡の遮断が十分ではなく、発泡に作用を及ぼす泡の堰板１１に対する効果的な衝突や、発泡を促進させるための発泡チャンバー５内における泡の十分な移動距離や滞留時間が得られず、十分な発泡性能が得難い。また、８０％を超えると、流路が狭くなり泡の十分な流量を確保し難くなる。
堰板１１が占めている面積と開口面積との比率（断面遮断面積率）が３０％〜５０％とすると、発泡に作用を及ぼす泡の堰板１１に対する効果的な衝突や、発泡を促進させるための発泡チャンバー５内における泡の十分な移動距離や滞留時間が得られ、十分な発泡性能を得ることができるとともに、泡の十分な流量を確保できる。
【００２３】
また、堰板１１は消火用泡水溶液放射管４と泡放出口１０の間に隙間Ｓ４を空けて配置されるが、隙間Ｓ４は消火用泡水溶液放射管４と泡放出口１０との間隔に対して、泡放出口１０より５％〜５０％の位置であることが好ましく、１０％〜２５％の位置であると一層好ましい。このとき、０％とは堰板１１と泡放出口１０が接触している状態となる。
隙間Ｓ４が消火用泡水溶液放射管４と泡放出口１０との間隔に対して、泡放出口１０より５％未満の位置であると、泡放出口１０が狭くなり泡の十分な流量を確保し難くなる。また、５０％を超える位置であると、流路を遮蔽する効果が十分ではない。
隙間Ｓ４が消火用泡水溶液放射管４と泡放出口１０との間隔に対して、泡放出口１０より１０％〜２５％の位置であると、発泡チャンバー５内で泡と空気が一層強く渦を巻き、消火用泡水溶液と空気とがよく混ざり合って高い倍率で発泡し、十分な発泡性能を得ることができるとともに、泡の十分な流量を確保できる。
【００２４】
また、消火用泡水溶液放射管４の放射口３の開口径と泡放出口１０の開口径にあっては、同径か或いは泡放出口１０を小径とすることが好ましい。泡放出口１０を放射口３より小径とすると、発泡チャンバー５内における泡の流路を遮る作用が働き、発泡チャンバー５内で泡と空気が一層強く渦を巻くことになり、消火用泡水溶液と空気とがよく混ざり合って高い倍率で発泡し、十分な発泡性能を得ることができる。
【００２５】
このように構成された本例の泡消火設備用発泡装置によれば、消火用泡水溶液放射管４の放射口３から放射された消火用泡水溶液は、発泡チャンバー５の天板７に衝突するだけでなく、堰板１１にも衝突することにより発泡が促進され、発泡し泡放出口１０へ向かう泡が、堰板１１により流れが遮られ、堰板１１を迂回して堰板１１の周囲に開いている隙間Ｓを通って泡放出口１０へ流れる。これにより、発泡チャンバー５内における泡の移動距離や滞留時間が長くなり、発泡チャンバー５内で泡と空気が渦を巻き、揉まれる移動距離や時間も長くなることから、消火用泡水溶液と空気とがよく混ざり合って発泡倍率が高く、そして、発泡した泡の径が小さく還元時間の長い消火用泡が生成される。
【００２６】
図４、図５は本発明に係る泡消火設備用発泡装置の実施の形態の第２例を示し、図４は本例の概略縦断面図、図５は、図４に示す造泡網部材の拡大断面図である。
本例の泡消火設備用発泡装置は、第１例の泡消火設備用発泡装置と基本構成において変わるところはなく、第１例と同一の構成については同一の符号を付して説明する。
【００２７】
本例の泡消火設備用発泡装置は、発泡チャンバー５の天板７と消火用泡水溶液放射管４の放射口３との間の空間に、放射口３から放射された消火用泡水溶液を通過させる第１造泡網部材１４ａが配置されている。
本例の第１造泡網部材１４ａは、ドーム状に形成された網板で構成され、その開口部側を天板７に当てるように取付板１５を介して天板７に取り付けられている。また、第１造泡網部材１４ａと天板７との間には、消火用泡水溶液の衝突による第１造泡網部材１４ａの変形を防止するために、第１造泡網部材１４ａを中心位置で内側から支える支柱１６が設けられている。
【００２８】
第１造泡網部材１４ａにあっては、第１造泡網部材１４ａに衝突する消火用泡水溶液を砕き小さい泡状水滴として通過させるために必要な線径と網目を有している。
第１造泡網部材１４ａの線径は０．８５ｍｍ〜１．２ｍｍが好ましい。線径が０．８５ｍｍ未満であると強度の面で不安があり、また、１．２ｍｍを超えると加工性に難が有りまた、コスト高となる。
また、第１造泡網部材１４ａの網目の開き目は１ｍｍ〜１２ｍｍが好ましく、４ｍｍ〜７ｍｍであれば更に好ましい。開き目が１ｍｍ未満であると、消火用泡水溶液の通過性に難があり、消火用泡水溶液の発泡に満足できる効果が得難く、また、１２ｍｍを超えると、第１造泡網部材１４ａへの消火用泡水溶液の衝突効果が薄れ、消火用泡水溶液を砕き小さい泡状水滴とするといった効果が得難くなる。第１造泡網部材１４ａの網目の開き目が４ｍｍ〜７ｍｍであると、放射口３から放射された消火用泡水溶液を、第１造泡網部材１４ａに効果的に衝突させるとともに通過させることができ、第１造泡網部材１４ａにより消火用泡水溶液を効果的に砕き、小さい泡状水滴とすることができる。
【００２９】
このように構成された本例の泡消火設備用発泡装置によれば、消火用泡水溶液放射管４の放射口３から放射された消火用泡水溶液は、先ず、第１造泡網部材１４ａに衝突し通過することにより効果的に砕かれ、小さい泡状水滴となって発泡チャンバー５の天板７に衝突するが、本例では、第１造泡網部材１４ａは、発泡チャンバー５の天板７と消火用泡水溶液放射管４の放射口３との間の空間に配置したので、消火用泡水溶液放射管４の放射口３から放射された消火用泡水溶液は、発泡チャンバー５内で拡散する過程で第１造泡網部材１４ａに衝突し通過することになり、発泡チャンバー５内で更に空気と混合された状態で第１造泡網部材１４ａを通過することにより、消火用泡水溶液と空気とがよく混ざり合って高い倍率で発泡し、そして、発泡した泡の径が小さく還元時間の長い消火用泡が生成される。
【００３０】
続いて、発泡チャンバー５内で発泡した泡が堰板１１にも衝突することにより発泡が促進され、発泡し泡放出口１０へ向かう泡が、堰板１１により流れが遮られ、堰板１１を迂回して堰板１１の周囲に開いている隙間Ｓを通って泡放出口１０へ流れることにより、発泡チャンバー５内における泡の移動距離や滞留時間が長くなり、発泡チャンバー５内で泡と空気が渦を巻き、揉まれる移動距離や時間も長くなることから、消火用泡水溶液と空気とがよく混ざり合って高い倍率で発泡し、そして、発泡した泡の径が小さくなり、この作用が前記の作用と相乗し、消火用泡水溶液と空気とが一層よく混ざり合うことになって一層高い倍率で発泡し、そして発泡した泡の径が一層小さく還元時間が長い消火用泡が生成される。
【００３１】
特に、本例では第１造泡網部材１４ａは、ドーム状に形成された網板からなり、その開口部側を天板７に当てるように天板７に取り付けられているので、消火用泡水溶液放射管４の放射口３から放射され、第１造泡網部材１４ａを通過してドーム内に入った泡状水滴は、発泡チャンバー５の天板７に衝突して発泡し、再び第１造泡網部材１４ａを通過してドームの外に出るので、第１造泡網部材１４ａを２度通過することになり、一層径の小さい泡となり、還元時間が長い消火用泡が生成される。
【００３２】
図６、図７は本発明に係る泡消火設備用発泡装置の実施の形態の第３例を示し、図６は本例の概略縦断面図、図７は、図６に示す造泡網部材の拡大断面図である。
本例の泡消火設備用発泡装置は、第１例の泡消火設備用発泡装置と基本構成において変わるところはなく、第１例と同一の構成については同一の符号を付して説明する。
【００３３】
本例の泡消火設備用発泡装置は、第２例と同様に、発泡チャンバー５の天板７と消火用泡水溶液放射管４の放射口３との間の空間に、放射口３から放射された消火用泡水溶液を通過させる第１造泡網部材１４ａが配置されている。
本例の第１造泡網部材１４ａは、平網板で構成され、天板７及び放射口３のそれぞれと所定の間隔を空けるようにして、支柱１７を介して天板７に取り付けられている。
他の構成は第２例と同一の構成なので、第２例の説明を援用する。
【００３４】
このように構成された本例の泡消火設備用発泡装置によれば、消火用泡水溶液放射管４の放射口３から放射された消火用泡水溶液は、第１造泡網部材１４ａに衝突し通過することにより効果的に砕かれ、小さい泡状水滴となって発泡チャンバー５の天板７に衝突する。
【００３５】
本例では、第２例と同様に、第１造泡網部材１４ａは、発泡チャンバー５の天板７と消火用泡水溶液放射管４の放射口３との間の空間に配置したので、先ず、消火用泡水溶液放射管４の放射口３から放射された消火用泡水溶液は、発泡チャンバー５内で拡散する過程で第１造泡網部材１４ａに衝突し通過するので、発泡チャンバー５内で更に空気と混合された状態で第１造泡網部材１４を通過することになり、消火用泡水溶液と空気とがよく混ざり合って高い倍率で発泡し、そして、発泡した泡の径が小さく還元時間の長い消火用泡が生成される。
【００３６】
この作用に、第２例と同様に、堰板１１による作用が相乗し、消火用泡水溶液と空気とが一層よく混ざり合うことになって一層高い倍率で発泡し、そして発泡した泡の径が一層小さく還元時間が長い消火用泡が生成される。
なお、本例では、第１造泡網部材１４ａは、支柱１７を介して天板７に取り付けられているが、支柱を介して放射口３に取り付けてもよい（図示せず。）。
【００３７】
図８、図９は本発明に係る泡消火設備用発泡装置の実施の形態の第４例を示し、図８は本例の概略縦断面図、図９は、図８に示す造泡網部材の拡大断面図である。
本例の泡消火設備用発泡装置は、第２例の泡消火設備用発泡装置と基本構成において変わるところはなく、第２例と同一の構成については同一の符号を付して説明する。
【００３８】
本例の泡消火設備用発泡装置は、消火用泡水溶液放射管４の放射口３に、放射口３から放射される消火用泡水溶液を通過させる第２造泡網部材１４ｂが配置されている。この第２造泡網部材１４ｂは、平網板で構成され、放射口３の開口部を覆うように取付板１８で取り付けられている。
【００３９】
第２造泡網部材１４ｂの線径は、第１造泡網部材１４ａと同様に、０．８５ｍｍ〜１．２ｍｍが好ましい。線径が０．８５ｍｍ未満であると強度の面で不安があり、また、１．２ｍｍを超えると加工性に難が有りまた、コスト高となる。
また、第２造泡網部材１４ｂの網目の開き目は４ｍｍ〜１２ｍｍが好ましい。開き目が４ｍｍ未満であると、消火用泡水溶液放射管４を流れる消火用泡水溶液に小さいごみ等の混入が合った場合、込み等が第２造泡網部材１４ｂの網目に詰まりやすく、また、１２ｍｍを超えると、第２造泡網部材１４ｂへの消火用泡水溶液の衝突効果が薄れ、消火用泡水溶液を砕き小さい泡状水滴とするといった効果が得難くなる。
他の構成は第２例と同一の構成なので、第２例の説明を援用する。
【００４０】
このように構成された本例の泡消火設備用発泡装置によれば、消火用泡水溶液放射管４の放射口３から放射される消火用泡水溶液は、放射口３から放射される際に第２造泡網部材１４ｂに衝突し通過することにより、効果的に砕かれ、小さい泡状水滴となって発泡チャンバー５内に放射され発泡チャンバー５の天板７に衝突し、消火用泡水溶液と空気とがよく混ざり合って高い倍率で発泡し、そして、発泡した泡の径が小さく還元時間の長い消火用泡が生成される。
この作用に、第２例と同様に、堰板１１による作用が相乗し、消火用泡水溶液と空気とが一層よく混ざり合うことになって一層高い倍率で発泡し、そして発泡した泡の径が一層小さく還元時間が長い消火用泡が生成される。
【００４１】
図１０は本発明に係る泡消火設備用発泡装置の実施の形態の第５例を示し、図１０は本例の要部概略縦断面図である
本例の泡消火設備用発泡装置は、第２例乃至第４の泡消火設備用発泡装置と基本構成において変わるところはなく、第２例乃至第４例と同一の構成については同一の符号を付して説明する。
【００４２】
本例の泡消火設備用発泡装置は、発泡チャンバー５の天板７と消火用泡水溶液放射管４の放射口３との間の空間に第１造泡網部材１４ａが配置され、さらに、消火用泡水溶液放射管４の放射口３に第２造泡網部材１４ｂそれぞれ配置されている。
本例では、発泡チャンバー５の天板７と消火用泡水溶液放射管４の放射口３との間の空間に配置されている第１造泡網部材１４ａは、第２例のドーム状に形成された網板で構成された第１造泡網部材１４ａと同じ構成となっており、同じ手段で天板７に取り付けられている。
また、消火用泡水溶液放射管４の放射口３に配置されている第２造泡網部材１４ｂは、第４例の平網板で構成された第２造泡網部材１４ｂと同じ構成となっており、同じ手段で放射口３に取り付けられている。
【００４３】
なお、本例では、発泡チャンバー５の天板７と消火用泡水溶液放射管４の放射口３との間の空間に配置されている第１造泡網部材１４ａは、第２例のドーム状に形成された網板で構成された第１造泡網部材１４ａと同じ構成となっているが、第３例の平網板で構成された第１造泡網部材１４ｂと同じ構成とすることもできる。
他の構成は第２例乃至第４例と同一の構成なので、第２例乃至第４例の説明を援用する。
【００４４】
このように構成された本例の泡消火設備用発泡装置によれば、消火用泡水溶液放射管４の放射口３から放射される消火用泡水溶液は、放射口３から放射される際に、先ず、全てが確実に第２造泡網部材１４ｂに衝突し通過するので、効果的に砕かれ、小さい泡状水滴となって発泡チャンバー５内に放射され、続けて、発泡チャンバー５の天板７と消火用泡水溶液放射管４の放射口３との間の空間に配置した第１造泡網部材１４ａに衝突し通過するので、消火用泡水溶液と空気とがよく混ざり合って高い倍率で発泡し、そして、発泡した泡の径が小さく還元時間の長い消火用泡が生成される。
この作用に、第２例と同様に、堰板１１による作用が相乗し、消火用泡水溶液と空気とが一層よく混ざり合うことになって一層高い倍率で発泡し、そして発泡した泡の径が一層小さく還元時間が長い消火用泡が生成される。
【００４５】
以上のように、本発明に係る泡消火設備用発泡装置によれば、消火用泡水溶液と空気とがよく混ざり合って高い倍率で発泡し、そして、発泡した泡の径が小さく還元時間の長い泡性能に優れた良質の消火用泡を生成することができる。
【符号の説明】
【００４６】
１  オリフィス
２  空気取り入れ口
３  放射口
４  消火用泡水溶液放射管
５  発泡チャンバー
６  接続部
７  天板
８  筒状側壁
９  底板
１０  泡放出口
１１  堰板
１２  Ｌ型金具
１３  フランジ
１４ａ  第１造泡網部材
１４ｂ  第２造泡網部材
１５  取付板
１６、１７  支柱
１８  取付板
Ｓ１、Ｓ２、Ｓ３、Ｓ４  隙間
【図１】
0006570953.tif 000002
【図２】
0006570953.tif 000003
【図３】
0006570953.tif 000004
【図４】
0006570953.tif 000005
【図５】
0006570953.tif 000006
【図６】
0006570953.tif 000007
【図７】
0006570953.tif 000008
【図８】
0006570953.tif 000009
【図９】
0006570953.tif 000010
【図１０】
0006570953.tif 000011
【図１１】
0006570953.tif 000012